Podtech/llm-jp-corpus-v4-ja_patent huggingface dataset:
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
マレイン酸繰り返し単位、イタコン酸繰り返し単位、およびスルホネート繰り返し単位からなる群から選択される少なくとも２種の繰り返し単位を有する第１のコポリマーと、マレイン酸繰り返し単位およびオレフィン繰り返し単位を有する第２のコポリマーとを含むポリマー組成物。
【請求項２】
前記第１のコポリマーが、その中に少なくとも約８５重量％のマレイン酸繰り返し単位およびイタコン酸繰り返し単位を有する、請求項１に記載の組成物。
【請求項３】
前記第１のコポリマーが、マレイン酸繰り返し単位およびイタコン酸繰り返し単位から本質的になる、請求項２に記載の組成物。
【請求項４】
前記第１のコポリマーが、マレイン酸繰り返し単位、イタコン酸繰り返し単位、およびスルホネート繰り返し単位を含む、請求項１に記載の組成物。
【請求項５】
前記オレフィン繰り返し単位が、エチレン繰り返し単位およびイソブチレン繰り返し単位、ならびにそれらの混合物からなる群から選択される、請求項１に記載の組成物。
【請求項６】
前記第２のコポリマーが、アミド基および無水物基を実質的に含まない、請求項１に記載の組成物。
【請求項７】
前記ポリマー組成物が、水性分散液または水溶液中にある、請求項１に記載の組成物。
【請求項８】
前記ポリマー組成物が、１００重量％とした前記水性分散液または水溶液の総重量に基づき、約１から６０重量％のコポリマー固体含有量を与えるようなレベルで存在する、請求項７に記載の組成物。
【請求項９】
前記組成物が、約０．５から８のｐＨを有する、請求項７に記載の組成物。
【請求項１０】
前記第１のコポリマーが、約２，０００から１５，０００Ｄａの分子量を有し、前記第２のコポリマーが、最大約７０，０００Ｄａの分子量を有する、請求項１に記載の組成物。
【請求項１１】
個々の量の２種の異なる第２のコポリマーを含み、前記第２のコポリマーの一方は、最大約７０，０００Ｄａの分子量を有し、前記第２のコポリマーの他方は、少なくとも約２００，０００Ｄａの分子量を有する、請求項１に記載の組成物。
【請求項１２】
前記組成物が、それぞれの量の前記第１のコポリマーおよび第２のコポリマーを乾燥コポリマー固体として含む、請求項１に記載の組成物。
【請求項１３】
リン酸肥料と、請求項１〜１２のいずれか１項に記載のポリマー組成物とを含む複合物。
【請求項１４】
請求項１３による複合物を土壌に施用するステップを含む、土壌を肥沃にする方法。
【請求項１５】
請求項１によるポリマー組成物をリン酸肥料中に組み込むステップを含む、肥料複合物を調製する方法。
【請求項１６】
前記リン酸肥料が、固体肥料であり、前記ポリマー組成物が、前記固体肥料に密接に接触する、請求項１３に記載の複合物または請求項１５に記載の方法。
【請求項１７】
前記組成物の前記コポリマー固体含有量が、１００重量％とした前記固体肥料−組成物の複合物の総重量に基づき、約０．００００１から１重量％である、請求項１３に記載の複合物または請求項１６に記載の方法。
【請求項１８】
前記肥料が、液体肥料であり、前記組成物が、前記液体肥料と混合される、請求項１３に記載の複合物または請求項１５に記載の方法。
【請求項１９】
前記組成物の前記コポリマー固体含有量が、１００重量％とした前記複合物の総重量に基づき、約０．００００２から２重量％のレベルで存在する、請求項１３に記載の複合物または請求項１８に記載の方法。
【請求項２０】
固体または顆粒のリン酸肥料と、前記リン酸肥料由来の細粒または粉塵の発生を低減するように機能可能なポリマー組成物とを含み、前記ポリマー組成物が、マレイン酸繰り返し単位およびオレフィン繰り返し単位を有する第１の高分子量コポリマーと、マレイン酸繰り返し単位およびオレフィン繰り返し単位を有する第２の低分子量コポリマーとを含む、複合物。
【請求項２１】
固体または顆粒のリン酸肥料からの細粒または粉塵の発生を低減する方法であって、マレイン酸繰り返し単位およびオレフィン繰り返し単位を有する第１の高分子量コポリマーとマレイン酸繰り返し単位およびオレフィン繰り返し単位を有する第２の低分子量コポリマーとを含むポリマー組成物に、前記リン酸肥料を接触させるステップを含む方法。
【請求項２２】
前記第１の高分子量コポリマーが、約３００，０００から４００，０００の分子量を有し、前記第２の低分子量コポリマーが、約５，０００から１５，０００の分子量を有する、請求項２０に記載の複合物または請求項２１に記載の方法。
【請求項２３】
前記第２の低分子量コポリマーと前記第１の高分子量コポリマーとの重量比が、約５：１から２０：１に及ぶ、請求項２０に記載の複合物または請求項２１に記載の方法。
【誤訳訂正書】
【提出日】令和2年2月7日(2020.2.7)
【誤訳訂正１】
【訂正対象書類名】特許請求の範囲
【訂正対象項目名】全文
【訂正方法】変更
【訂正の内容】
【特許請求の範囲】
【請求項１】
患者における多発性硬化症（ＭＳ）を治療するための医薬組成物であって、
前記医薬組成物は活性成分としてオファツムマブを含み、
ａ）投与レジメンの０週目、１週目、および２週目にオファツムマブ２０ｍｇを投与することを含む負荷用量レジメン中、それを必要とする患者に、オファツムマブを投与し、
ｂ）投与レジメンの４週目から開始して、その後治療プロトコールの期間中に継続して４週間毎にオファツムマブ２０ｍｇを投与することを含む維持用量レジメン中、それを必要とする患者に、オファツムマブを投与し、
オファツムマブが、負荷用量レジメンおよび維持用量レジメン中、皮下（ｓ．ｃ．）注射で投与される、医薬組成物。
【請求項２】
ａ）投与レジメンの０日目、７日目、および１４日目にオファツムマブ２０ｍｇを投与することを含む負荷用量レジメン中、それを必要とする患者に、オファツムマブを投与し、
ｂ）投与レジメンの４週目から開始して、その後治療プロトコールの期間中に継続して４週間毎にオファツムマブ２０ｍｇを投与することを含む維持用量レジメン中、それを必要とする患者に、オファツムマブを投与する、請求項１に記載の医薬組成物。
【請求項３】
投与レジメンおよび維持レジメン中、５０ｍｇ／ｍＬの濃度でオファツムマブを含有する製剤を充填した自己注射器を用いて、オファツムマブ２０ｍｇを投与する、請求項１または２に記載の医薬組成物。
【請求項４】
投与レジメンおよび維持レジメン中、５０ｍｇ／ｍＬの濃度でオファツムマブを含有する製剤を満たした充填済みシリンジを用いて、オファツムマブ２０ｍｇを投与する、請求項１または２に記載の医薬組成物。
【請求項５】
多発性硬化症が、再発寛解型多発性硬化症（ＲＲＭＳ）である、請求項１〜４のいずれか１項に記載の医薬組成物。
【請求項６】
多発性硬化症が、一次性進行型多発性硬化症（ＰＰＭＳ）である、請求項１〜４のいずれか１項に記載の医薬組成物。
【請求項７】
多発性硬化症が、二次性進行型多発性硬化症（ＳＰＭＳ）である、請求項１〜４のいずれか１項に記載の医薬組成物。
【請求項８】
多発性硬化症を治療するための医薬品の製造におけるオファツムマブの使用であって、
ａ）オファツムマブは、投与レジメンの０週目、１週目、および２週目にオファツムマブ２０ｍｇを皮下注射することを含む負荷用量レジメン中、それを必要とする患者に投与され、
ｂ）オファツムマブは、投与レジメンの４週目から開始して、その後治療プロトコールの期間中に継続して４週間毎にオファツムマブ２０ｍｇを皮下注射することを含む維持用量レジメン中、それを必要とする患者に投与される、使用。
【誤訳訂正２】
【訂正対象書類名】明細書
【訂正対象項目名】００６７
【訂正方法】変更
【訂正の内容】
【００６７】
試験デザイン
これは、再発性ＭＳ患者に対する、可変の治療期間における、無作為化、二重盲検、ダブルダミー、実薬対照、並行群間、多施設試験である。適格患者を、オファツムマブ２０ｍｇのｑ４ｗでのｓ．ｃ．注射投与（最初の１４日間において、週に１度２０ｍｇの用量を３回投与することによる最初の負荷レジメン後）またはテリフルノミド１４ｍｇの１日１回での経口投与のいずれかに無作為に割り付ける。異なる製剤に対して盲検とするため、ダブルダミーデザインが用いられてもよい：活性なオファツムマブ治療群の患者は、さらにプラセボカプセルを１日１回で経口投与される；活性なテリフルノミド治療群の患者は、さらにプラセボ含有ｓ．ｃ．注射を４週間毎で投与される（最初の１４日間において、週に１度の注射を３回投与することによる最初のレジメン後）。
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
一過性受容体電位バニロイド１（ＴＲＰＶ１）受容体アゴニストを有効成分として含む、対象における心血管病態を治療するための医薬であって、対象の第１〜第４胸椎レベルの１つ以上に位置する硬膜外腔に投与するための、医薬。
【請求項２】
前記対象がヒトである、請求項１に記載の医薬。
【請求項３】
前記心血管病態がうっ血性心不全である、請求項１に記載の医薬。
【請求項４】
前記心血管病態が前記対象の心筋の瘢痕化である、請求項１に記載の医薬。
【請求項５】
前記心血管病態が高血圧、高血圧前症、または軽症高血圧からなる群から選択される、請求項１に記載の医薬。
【請求項６】
前記心血管病態が重症高血圧および難治性高血圧のうちの少なくとも１つからなる群から選択される、請求項１に記載の医薬。
【請求項７】
第１胸椎に近接した前記硬膜外腔に投与される、請求項１に記載の医薬。
【請求項８】
第２胸椎に近接した前記硬膜外腔に投与される、請求項１に記載の医薬。
【請求項９】
第３胸椎に近接した前記硬膜外腔に投与される、請求項１に記載の医薬。
【請求項１０】
第４胸椎に近接した前記硬膜外腔に投与される、請求項１に記載の医薬。
【請求項１１】
一過性受容体電位バニロイド１（ＴＲＰＶ１）受容体アゴニストを有効成分として含む、高血圧の対象において血圧を降下させるための医薬であって、対象の第１〜第４胸椎レベルの１つ以上に位置する硬膜外腔に投与するための、医薬。
【請求項１２】
一過性受容体電位バニロイド１（ＴＲＰＶ１）受容体アゴニストを有効成分として含む、収縮期高血圧の対象において収縮期血圧を降下させるための医薬であって、対象の第１〜第４胸椎レベルの１つ以上に位置する硬膜外腔に投与するための、医薬。
【請求項１３】
一過性受容体電位バニロイド１（ＴＲＰＶ１）受容体アゴニストを有効成分として含む、拡張期高血圧の対象において拡張期血圧を降下させるための医薬であって、対象の第１〜第４胸椎レベルの１つ以上に位置する硬膜外腔に投与するための、医薬。
【請求項１４】
レシニフェラトキシンを有効成分として含む、対象における心血管病態を治療するための医薬であって、対象の第１〜第４胸椎レベルの１つ以上で硬膜外腔に投与するための、医薬。
【請求項１５】
前記対象がヒトである、請求項１４に記載の医薬。
【請求項１６】
前記心血管病態がうっ血性心不全である、請求項１４に記載の医薬。
【請求項１７】
前記心血管病態が前記対象の心筋の瘢痕化である、請求項１４に記載の医薬。
【請求項１８】
前記心血管病態が高血圧、高血圧前症、または軽症高血圧からなる群から選択される、請求項１４に記載の医薬。
【請求項１９】
前記心血管病態が重症高血圧および難治性高血圧のうちの少なくとも１つからなる群から選択される、請求項１４に記載の医薬。
【請求項２０】
第１胸椎に近接した前記硬膜外腔に投与される、請求項１４に記載の医薬。
【請求項２１】
第２胸椎に近接した前記硬膜外腔に投与される、請求項１４に記載の医薬。
【請求項２２】
第３胸椎に近接した前記硬膜外腔に投与される、請求項１４に記載の医薬。
【請求項２３】
第４胸椎に近接した前記硬膜外腔に投与される、請求項１４に記載の医薬。
【請求項２４】
一過性受容体電位バニロイド１（ＴＲＰＶ１）受容体アゴニストを有効成分として含む、高血圧前症または軽症高血圧を有する対象を予防的に治療するための医薬であって、対象の胸椎に近接した硬膜外腔に投与するための、医薬。
【請求項２５】
レシニフェラトキシンを有効成分として含む、高血圧前症または軽症高血圧を有する対象を予防的に治療するための医薬であって、対象の胸椎に近接した硬膜外腔に投与するための、医薬。
【請求項２６】
レシニフェラトキシンを有効成分として含む、対象における心血管病態を治療するための医薬であって、
対象の第１〜第４胸椎レベルの１つ以上の硬膜外腔に約０．０６マイクログラム超かつ約３０マイクログラム未満である量のレシニフェラトキシンを投与するための溶液である、医薬。
【請求項２７】
レシニフェラトキシンを有効成分として含む、対象における心血管病態を治療するための医薬であって、
対象の第１〜第４胸椎レベルの１つ以上の硬膜外腔に溶液１ミリリットルにつき０．６〜１０マイクログラムのレシニフェラトキシンを投与するための溶液である、医薬。
【請求項２８】
前記溶液が、前記１つ以上の椎骨レベルのそれぞれに約１００マイクロリットル超かつ約３ミリリットル未満の容量で投与される、請求項２７に記載の医薬。
【請求項２９】
一過性受容体電位バニロイド１（ＴＲＰＶ１）受容体アゴニストを有効成分として含む、対象における心血管病態を治療するための医薬であって、
オピオイド受容体アゴニストと併用され、
対象の第１〜第４胸椎レベルの１つ以上に位置する硬膜外腔に投与されることを特徴とする、医薬。
【請求項３０】
前記対象がヒトである、請求項２９に記載の医薬。
【請求項３１】
前記オピオイド受容体がμ−オピオイド受容体である、請求項２９に記載の医薬。
【請求項３２】
前記オピオイド受容体アゴニストがオピオイドである、請求項２９に記載の医薬。
【請求項３３】
前記オピオイドがフェンタニールである、請求項３２に記載の医薬。
【請求項３４】
前記フェンタニールを、対象重量１ｋｇにつき５０〜１００μｇのフェンタニールに相当する量で１２時間おきに投与する、請求項３３に記載の医薬。
【請求項３５】
前記オピオイド受容体アゴニストの投与が静脈内投与または腹腔内投与である、請求項２９に記載の医薬。
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
レボドパ、酸化防止剤及び水性担体を含むか、それからなるか又は本質的にそれらからなる薬学的眼科用組成物。
【請求項２】
抗酸化剤が、アスコルビン酸、フェノール酸、ソルビン酸、亜硫酸水素ナトリウム、メタ重亜硫酸ナトリウム、アセチルシステイン、チオ硫酸ナトリウム、エチレンジアミン四酢酸、亜硝酸ナトリウム、ステアリン酸アスコルビル、パルミチン酸アスコルビル、α−チオグリセロール、エリソルビン酸、システイン塩酸塩、クエン酸、トコフェロール又はビタミンＥ、酢酸トコフェロール、ジブチルヒドロキシトルエン、大豆レシチン、チオグリコール酸ナトリウム、ブチルヒドロキシアニソール、没食子酸プロピル、尿酸、メラトニン、チオ尿素、ならびにそれらの塩及び組み合わせからなる群から選択される、請求項１に記載の組成物。
【請求項３】
抗酸化剤がアスコルビン酸である、請求項２に記載の組成物。
【請求項４】
芳香族Ｌ−アミノ酸脱炭酸酵素の阻害剤をさらに含む、請求項１〜３のいずれか１項に記載の組成物。
【請求項５】
芳香族Ｌ−アミノ酸脱炭酸酵素の阻害剤が、カルビドパ、ベンセラジド、メチルドーパ及びそれらの組み合わせから選択される、請求項４に記載の組成物。
【請求項６】
芳香族Ｌ−アミノ酸脱炭酸酵素阻害剤がカルビドパである、請求項５に記載の組成物。
【請求項７】
レボドパと芳香族Ｌ−アミノ酸脱炭酸酵素の阻害剤の比が２０：１〜１：１の範囲である、請求項４〜６のいずれか１項に記載の組成物。
【請求項８】
組成物がドーパミン受容体アゴニストをさらに含む、請求項１〜７のいずれか１項に記載の組成物。
【請求項９】
ドーパミン受容体アゴニストが、キンピロール、アポモルヒネ、ロピニロール、プラミペキソール、デキサプラミペキソール、ピリビジル、ロチゴチン、ブロモクリプチン、リスリド、カベルゴリン、２−アミノ−６，７−ジヒドロキシ−１，２，３，４−テトラヒドロナフタレン、ペルゴリド、カリドパ、ジヒドレキシジン、ドキサトリン、プロピルノルアポモルヒネ、キナゴリド、ロキシンドール、スマニロール、フェノルドパム、エルゴコルミン、１−フェニル−２，３，４，５−テトラヒドロ−（１Ｈ）−３−ベンズアゼピン−７，８−ジオール、２−（Ｎ−フェネチル−Ｎ−プロピル）アミノ−５−ヒドロキシテトラリン、ジヒドロエルゴタミン、（１Ｒ，３Ｓ）−１−（アミノメチル）−３−フェニル−３，４−ジヒドロ−１Ｈ−イソクロメン−５，６−ジオール、カルモキシロール、フェノルドパム、ならびにそれらの塩及び組み合わせからなる群から選択される、請求項８に記載の組成物。
【請求項１０】
組成物が、ＧＡＢＡ受容体アンタゴニストをさらに含む、請求項１〜９のいずれか項に記載の組成物。
【請求項１１】
ＧＡＢＡ受容体アンタゴニストが、ビククリン、フルマゼニル、ガバジン、フェニレンテトラゾール、（１，２，５，６−テトラヒドロピリジン−４−イル）メチルホスフィン酸、（３−アミノプロピル）（シクロヘキシルメチル）ホスフィン酸、ならびにそれらの塩及び組み合わせから選択される請求項１０に記載の組成物。
【請求項１２】
組成物がムスカリン性アセチルコリン受容体アンタゴニストをさらに含む、請求項１〜１１のいずれか１項に記載の組成物。
【請求項１３】
ムスカリン性アセチルコリン受容体アンタゴニストが、アトロピン、ピレンゼピン、ヒンバシン、ヒヨスシン、シクロペントレート、イプラトロピウム、オキシトロピウム、トロピカミド、オキシブチニン、トルテロジン、ジフェンヒドラミン、ジシクロベリン、フラボキサート、チオトロピウム、トリヘキシフェニジル、ソリフェナシン、ダリフェナシン、ベンズアトロピン、メベベリン、プロシクリジン、アクリジニウム、ならびにそれらの塩及び組み合わせから選択される、請求項１２に記載の組成物。
【請求項１４】
水性担体が、生理食塩水、水、水性緩衝液、水と混和性溶媒を含む水溶液、及びそれらの組み合わせから選択される、請求項１〜１３のいずれか１項に記載の組成物。
【請求項１５】
レボドパが可溶化形態である、請求項１〜１４のいずれか１項に記載の組成物。
【請求項１６】
組成物のｐＨが５〜８の範囲である、請求項１〜１５のいずれか１項に記載の組成物。
【請求項１７】
組成物が眼への局所投与のために処方される、請求項１〜１６のいずれか１項に記載の組成物。
【請求項１８】
組成物が点眼剤の形態である、請求項１７に記載の組成物。
【請求項１９】
組成物が、角膜上皮を通したレボドパの浸透のために処方される、請求項１７又は１８に記載の組成物。
【請求項２０】
対象における視覚障害の進行又は発生を阻害するのに使用するための、請求項１〜１９のいずれか１項に記載の組成物。
【請求項２１】
視覚障害が、糖尿病性網膜症に関連する視覚障害、パーキンソン病に関連する視覚障害、及び近視から選択される、請求項２０に記載の組成物。
【請求項２２】
視覚障害が近視である、請求項２１に記載の組成物。
【請求項２３】
レボドパを０．５〜２．５の範囲のｐＨで水性担体に溶解し、抗酸化剤を組成物に添加し、及び組成物のｐＨを約５〜８の範囲に調整することを含む、請求項１に記載の組成物を調製する方法。
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
カンナビノイド油と；
アルコールと；
前記カンナビノイド油と包接複合体を形成する化合物と；
増粘剤と；
甘味料と；
を含み、前記カンナビノイド油は組成物中で唯一の油である、摂取可能なカンナビノイド注入組成物。
【請求項２】
前記甘味料が、白砂糖、甘蔗糖、粗糖、フルクトース、タービナド糖、ココナッツ糖、デーツ糖、液体ステビア、液糖、粉砂糖、ブラウンシュガー、黒砂糖、蜂蜜、及びアガベからなる群から選択される、請求項１に記載の組成物。
【請求項３】
前記化合物はシクロデキストリンを含む、請求項１に記載の組成物。
【請求項４】
前記増粘剤はガムを含む、請求項１に記載の組成物。
【請求項５】
前記ガムはキサンタンガムを含む、請求項４に記載の組成物。
【請求項６】
前記カンナビノイドが、テトラヒドロカンナビノール（ＴＨＣ）及び／又はカンナビジオール（ＣＢＤ）を含む、請求項１に記載の組成物。
【請求項７】
前記カンナビノイドは、生物学的に利用可能であり、高代謝性、及び消化されて即効性である、請求項１に記載の組成物。
【請求項８】
前記化合物及び前記増粘剤をそれぞれ、前記組成物の０．１２％〜２％含む、請求項１に記載の組成物。
【請求項９】
前記化合物及び前記増粘剤の両方を０．０１％〜４％含む、請求項１に記載の組成物。
【請求項１０】
前記化合物及び前記増粘剤の両方を０．１５％〜３％含む、請求項９に記載の組成物。
【請求項１１】
前記化合物と前記増粘剤とを等しい割合で含む、請求項１に記載の組成物。
【請求項１２】
カンナビノイド油と；
アルコールと；
水と；
前記カンナビノイド油と包接複合体を形成する化合物と；
増粘剤と；
甘味料と；
を実質的に含む、摂取可能なカンナビノイド注入組成物。
【請求項１３】
前記甘味料が、白砂糖、甘蔗糖、粗糖、フルクトース、タービナド糖、ココナッツ糖、デーツ糖、液体ステビア、液糖、粉砂糖、ブラウンシュガー、黒砂糖、蜂蜜、及びアガベからなる群から選択される、請求項１２に記載の組成物。
【請求項１４】
前記化合物はシクロデキストリンを含む、請求項１２に記載の組成物。
【請求項１５】
前記増粘剤はガムを含む、請求項１２に記載の組成物。
【請求項１６】
前記ガムはキサンタンガムを含む、請求項１５に記載の組成物。
【請求項１７】
前記カンナビノイドが、テトラヒドロカンナビノール（ＴＨＣ）及び／又はカンナビジオール（ＣＢＤ）を含む、請求項１２に記載の組成物。
【請求項１８】
前記化合物及び前記増粘剤をそれぞれ、前記組成物の０．１２％〜２％含む、請求項１２に記載の組成物。
【請求項１９】
前記化合物の前記増粘剤の両方を０．０１％〜４％含む、請求項１２に記載の組成物。
【請求項２０】
前記化合物の前記増粘剤の両方を０．１５％〜３％含む、請求項１９に記載の組成物。
【請求項２１】
前記化合物と前記増粘剤とを等しい割合で含む、請求項１２に記載の組成物。
【請求項２２】
前記カンナビノイドは、生物学的に利用可能であり、高代謝性、及び消化されて即効性である、請求項１２に記載の組成物。
【請求項２３】
カンナビノイド油とアルコールとを組み合わせて、油／アルコール混合物を形成すること；
前記油／アルコール混合物を加熱すること；
増粘剤及び前記カンナビノイド油と包接複合体を形成する化合物を、前記油／アルコール混合物に加えて、増粘混合物を形成すること；
前記増粘混合物を加熱すること；
前記増粘混合物を混合すること；及び
前記増粘混合物と甘味料とを組み合わせること；
を含む、カンナビノイド注入組成物の製造方法。
【請求項２４】
残渣アルコールを蒸発させることを含む、請求項２３に記載の方法。
【請求項２５】
更に、前記増粘混合物及び前記甘味料を加熱することを含む、請求項２３に記載の方法。
【請求項２６】
前記増粘混合物及び前記甘味料を、華氏１２０〜２２０度で１０〜６０分間加熱することを含む、請求項２５に記載の方法。
【請求項２７】
前記甘味料が、前記甘味料は、白砂糖、甘蔗糖、粗糖、フルクトース、タービナド糖、ココナッツ糖、デーツ糖、液体ステビア、液糖、粉砂糖、ブラウンシュガー、黒砂糖、蜂蜜、及びアガベからなる群から選択される、請求項２３に記載の方法。
【請求項２８】
前記化合物はシクロデキストリンを含む、請求項２３に記載の方法。
【請求項２９】
前記増粘剤はガムを含む、請求項２３に記載の方法。
【請求項３０】
前記ガムはキサンタンガムを含む、請求項２９に記載の方法。
【請求項３１】
前記カンナビノイドが、テトラヒドロカンナビノール（ＴＨＣ）及び／又はカンナビジオール（ＣＢＤ）を含む、請求項２３に記載の方法。
【請求項３２】
前記カンナビノイドは、生物学的に利用可能であり、高代謝性、及び消化されて即効性である、請求項２３に記載の方法。
【請求項３３】
前記化合物及び前記増粘剤をそれぞれ、前記組成物の０．１２％〜２％含む、請求項３３に記載の方法。
【請求項３４】
前記化合物の前記増粘剤の両方を０．０１％〜４％含む、請求項２３に記載の方法。
【請求項３５】
前記化合物の前記増粘剤の両方を０．１５％〜３％含む、請求項３４に記載の方法。
【請求項３６】
前記化合物と前記増粘剤とを等しい割合で含む、請求項２３に記載の方法。
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
式（ＩＩ）のピルビニウムメチル硫酸塩と、式（ＩＩＩ）のパモ酸二ナトリウムと、を反応させる工程を含む、式（Ｉ）のピルビニウムパモ酸塩の調製方法：
【化１】
2019511523.tif 000001
【化２】
2019511523.tif 000002
【化３】
2019511523.tif 000003
【請求項２】
前記工程が塩基の存在下で行われる、請求項１に記載の方法。
【請求項３】
前記塩基がアンモニアである、請求項２に記載の方法。
【請求項４】
前記式（ＩＩ）の化合物と前記式（ＩＩＩ）の化合物とのモル比が１．３３〜２．００である、請求項１〜３のいずれかに記載の方法。
【請求項５】
前記方法が水とＣ１−Ｃ４アルコールとの混合物の存在下で実施され、次に前記方法が前記式（Ｉ）のピルビニウムパモ酸塩の結晶形態ＩＩＩをもたらす、請求項１〜４のいずれかに記載の方法。
【請求項６】
ａ）式（ＩＶ）の化合物を硫酸ジメチルと反応させる工程と、
【化４】
2019511523.tif 000004
ｂ）塩基の存在下で、前記工程ａ）で得られた混合物を、式（Ｖ）の化合物と反応させる工程と、
【化５】
2019511523.tif 000005
によって前記式（ＩＩ）の化合物を最初に調製することを更に含む、請求項１〜５のいずれか１項に記載の方法。
【請求項７】
前記工程ａ）が、Ｃ１−Ｃ４炭化水素、Ｃ３−Ｃ６環状エーテル、Ｃ１−Ｃ３アルキル−ＣＯＯ−Ｃ１−Ｃ４アルキル、ハロ−Ｃ１−Ｃ４−炭化水素、及びそれらの混合物で構成される群から選択される溶媒の存在下で実施され、
前記工程ｂ）が、Ｃ１−Ｃ４アルコール、Ｃ３−Ｃ６環状エーテル、Ｃ１−Ｃ３アルキル−ＣＯＯ−Ｃ１−Ｃ４アルキル、及びそれらの混合物で構成される群から選択される溶媒の存在下で実施される、
請求項６に記載の方法。
【請求項８】
前記工程ａ）がトルエンの存在下で実施され、
前記工程ｂ）がメタノールの存在下で実施される、
請求項６〜７のいずれか１項に記載の方法。
【請求項９】
前記工程ｂ）の塩基がピペリジンである、請求項６〜８のいずれか１項に記載の方法。
【請求項１０】
式（Ｉ）のピルビニウムパモ酸塩の結晶形態Ａの調製方法であって、
【化６】
2019511523.tif 000006
（ｃ）前記式（Ｉ）のピルビニウムパモ酸塩の結晶形態ＩＩＩを、還流温度で結晶形態ＩＩＩを結晶形態Ａに変換するのに必要な時間、エタノールでスラリー化する工程と、
（ｄ）２０℃〜３０℃を含む温度で冷却する工程と、
を含む、方法。
【請求項１１】
前記工程（ｃ）が１〜５時間を含む時間実施される、請求項１０に記載の式（Ｉ）のピルビニウムパモ酸塩の結晶形態Ａの調製方法。
【請求項１２】
式（Ｉ）のピルビニウムパモ酸塩の結晶形態ＩＩＩの調製方法であって、
【化７】
2019511523.tif 000007
（ｇ）前記式（Ｉ）のピルビニウムパモ酸塩の結晶形態Ａを、還流温度で前記結晶形態Ａを前記結晶形態ＩＩＩに変換するのに必要な時間、水とエタノールとの混合物でスラリー化する工程と、
（ｈ）前記工程（ｇ）で得られた前記結晶形態ＩＩＩを、９０℃〜９５℃を含む温度で分離させる工程と、
（ｉ）前記工程（ｈ）で得られた前記結晶形態ＩＩＩを、最初に９０℃〜９５℃を含む温度の熱水で洗浄し、次にエタノールで洗浄する工程と
を含む、方法。
【請求項１３】
請求項１０〜１１のいずれかに記載の方法によって得られた結晶形態ＩＩＩから式（Ｉ）のピルビニウムパモ酸塩の結晶形態Ａを調製する工程と、次いで、請求項１２に記載の方法によって結晶形態Ａを結晶形態ＩＩＩに変換する工程と、を含む、式（Ｉ）のピルビニウムパモ酸塩の結晶形態ＩＩＩの精製方法。
【請求項１４】
ＣｕＫα線（１．５４１８Ａ）を用いたＸ線回折計で測定して２．８，５．１，７．２，８．９，９．６，９．９，１５．９，１６．３，１７．９，２１．０±０．２度２θに特徴的なピークを含むＸ線回折図を有することを特徴とする、式（Ｉ）のピルビニウムパモ酸塩の結晶形態Ａ。
【化８】
2019511523.tif 000008
【請求項１５】
ＣｕＫα線（１．５４１８Ａ）を用いたＸ線回折計で測定して６．０、８．６、９．５、１０．３、１０．５、１４．３、１４．９、１６．６、１７．４、１８．１、１９．１、１９．７、２０．６，２１．５，２２．０，２２．６，２３．６、及び２４．９±０．２度２θに特徴的なピークを含むＸ線回折図を有することを特徴とする、式（Ｉ）のピルビニウムパモ酸塩の結晶形態ＩＩＩ。
【化９】
2019511523.tif 000009
【請求項１６】
１種以上の薬学的に許容される賦形剤又は担体と共に、請求項１４〜１５のいずれかにおいて定義された式（Ｉ）のピルビニウムパモ酸塩の結晶形態のいずれかを含む、医薬組成物。
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
キモトリプシノーゲンおよびトリプシノーゲンを含む、対象における癌を治療するための組成物であって、キモトリプシノーゲン：トリプシノーゲンの重量比は、１：１超であるが、４：１未満である組成物。
【請求項２】
前記重量比が、１：１超であるが、２：１以下である、請求項１に記載の組成物。
【請求項３】
前記重量比が、２：１である、請求項１または２に記載の組成物。
【請求項４】
前記重量比が、３：１である、請求項１に記載の組成物。
【請求項５】
アミラーゼを含有しない、請求項１〜４のいずれか一項に記載の組成物。
【請求項６】
前記癌が、膵臓癌、食道癌、結腸癌、腸癌、前立腺癌、卵巣癌、胃癌、乳癌、肝臓癌、悪性黒色腫または肺癌のいずれか１つである、請求項１〜５のいずれか一項に記載の組成物。
【請求項７】
前記癌が、卵巣癌、黒色腫、脳腫瘍、前立腺癌、結腸直腸癌、肝臓癌または肺癌である、請求項１〜６のいずれか一項に記載の組成物。
【請求項８】
前記癌が、膵臓癌、結腸癌または卵巣癌、好ましくは膵臓癌である、請求項１〜７のいずれか一項に記載の組成物。
【請求項９】
キモトリプシノーゲンおよびトリプシノーゲンを含む、対象における線維肉腫を治療するための組成物。
【請求項１０】
キモトリプシノーゲン：トリプシノーゲンの重量比が、１：１超であるが、８：１以下である、請求項９に記載の組成物。
【請求項１１】
前記重量比が、１：１超であるが、６：１以下である、請求項１０に記載の組成物。
【請求項１２】
前記重量比が、１：１超であるが、４：１以下である、請求項１０に記載の組成物。
【請求項１３】
前記重量比が、１：１超であるが、２：１以下である、請求項１０に記載の組成物。
【請求項１４】
前記重量比が、約２：１、約４：１、約６：１または約８：１である、請求項９〜１３のいずれか一項に記載の組成物。
【請求項１５】
アミラーゼを含まない、請求項９〜１４のいずれか一項に記載の組成物。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
物理的な３Ｄ解剖学的モデルを製造するための３Ｄモデルパラメータを供給するシステムであって、
解剖学的構造の３次元画像データを収集するイメージングシステムと、
収集された３次元画像データを、３Ｄモデルパラメータに再構成する再構成器と、
物理的な３Ｄ解剖学的モデルを製造する装置に前記３Ｄモデルパラメータを直接的又は間接的に供給する３Ｄモデル供給ユニットと、
前記イメージングシステムのイメージング収集パラメータ及び／又は前記再構成器の再構成入力パラメータを供給するパラメータ供給器であって、前記パラメータが最大のジオメトリ精度のために最適化される、パラメータ供給器と、
を有するシステム。
【請求項２】
前記パラメータ供給器は、少なくとも１つの選択可能なプリセットパラメータ設定として実現される、請求項１に記載のシステム。
【請求項３】
前記イメージングシステムが更に、前記解剖学的構造の物質情報を得るように構成される、請求項１又は２に記載のシステム。
【請求項４】
前記物質情報は、物質組成、物質密度又は有孔率のような物質の構造分布、放射線吸収又は反射特性のような物質エネルギー情報、血液又は造影剤灌流特性のような物質内における他の物質の灌流、硬組織物質及び軟組織物質の又はそれらの間のコントラストのような組織コントラスト情報、又は温度情報のうちの１つ又は複数を含む、請求項３に記載のシステム。
【請求項５】
前記イメージングシステムは、コンピュータトモグラフィイメージングシステム、好適にはスペクトル３Ｄ Ｘ線イメージングシステム又は位相コントラストＸ線イメージングシステムのような３ＤＸ線イメージングシステム、磁気共鳴イメージングシステム、超音波イメージングシステム、ポジトロンエミッショントモグラフィイメージングシステム、シングルフォトンエミッションコンピュータトモグラフィシステム、又はそれらの組み合わせである、請求項１乃至４のいずれか１項に記載のシステム。
【請求項６】
解剖学的構造の３次元製造のためのモデルパラメータを供給する方法であって、
解剖学的構造の３次元画像データを得るステップであって、前記３次元画像データは、３次元画像データを収集するように構成される医用イメージングシステムによって得られる、ステップと、
前記収集された３次元画像データを３Ｄモデルパラメータに再構成するステップと、
前記物理的な３Ｄ解剖学的構造モデルを製造する装置に前記３Ｄモデルパラメータを直接的又は間接的に供給するステップと、
を有し、前記医用イメージングシステムのイメージング収集パラメータ及び／又は再構成器の再構成入力パラメータが、最大のジオメトリ精度のために最適化される、方法。
【請求項７】
前記医用イメージングシステムは更に、前記解剖学的構造モデルの物質情報及び／又は機能情報を得るように構成される、請求項６に記載の方法。
【請求項８】
前記物質情報は、物質組成、物質密度のような物質の構造分布、放射線吸収又は反射特性のような物質エネルギー情報、血液又は造影剤灌流特性のような物質内における他の物質の灌流、硬組織物質及び軟組織物質の又はそれらの間のコントラストのような組織コントラスト情報、又は温度情報のうちの１つ又は複数を含む、請求項７に記載の方法。
【請求項９】
前記解剖学的構造モデルは、前記解剖学的モデルの物質及び／又は情報を含む、請求項７又は８に記載の方法。
【請求項１０】
請求項６乃至９のいずれか１項に記載の方法の各ステップをコンピュータに実行させる、コンピュータプログラム。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
パルス及び／又は血液ガス成分に関連付けられる対象のバイタルサインを決定するデバイスであって、
少なくとも２つの放射線信号を得る入力インタフェースであって、各放射線信号が、照射に基づき個別の皮膚領域から反射されるか、又は皮膚領域を透過する放射線を検出することにより、前記対象の異なる皮膚領域から取得される、入力インタフェースと、
前記取得された放射線信号からフォトプレチスモグラフィＰＰＧ信号を抽出し、皮膚領域ごとに少なくとも１つのＰＰＧ信号を得る抽出ユニットと、
前記個別の皮膚領域のＰＰＧ信号のスペクトルにおける基本周波数及び／又は１つ若しくは複数の高調波の相対強度及び／又は絶対強度に基づき、前記皮膚領域に関する第１の重みを決定する評価ユニットであって、前記評価ユニットが、前記第２の皮膚領域のＰＰＧ信号のスペクトルにおけるより弱い高調波を持つ第２の皮膚領域に関してより、前記第１の皮膚領域のＰＰＧ信号のスペクトルにおいてより強い高調波を持つ第１の皮膚領域に関して一層低い第１の重みを決定する、評価ユニットと、
個別の第１の重みに基づき異なる皮膚領域の２つ以上のＰＰＧ信号を結合し、結合されたＰＰＧ信号を得る結合ユニットと、
前記結合されたＰＰＧ信号からバイタルサインを得るバイタルサイン決定ユニットとを有する、デバイス。
【請求項２】
前記結合ユニットが、前記個別の皮膚領域に関して決定される前記第１の重みを用いて各ＰＰＧ信号を重み付けし、前記重み付けされたＰＰＧ信号を合計する、請求項１に記載のデバイス。
【請求項３】
前記評価ユニットは、前記個別の皮膚領域のＰＰＧ信号のスペクトルにおける前記基本周波数並びに第１及び／又は第２高調波の相対強度及び／又は絶対強度に基づき、前記皮膚領域に関する前記第１の重みを決定する、請求項１に記載のデバイス。
【請求項４】
前記入力インタフェースが、皮膚領域ごとに、異なる波長チャネルで少なくとも２つの放射線信号を取得し、
前記抽出ユニットは、放射線信号ごとにＰＰＧ信号を抽出し、皮膚領域ごとに、異なる波長チャネルの前記ＰＰＧ信号を結合し、皮膚領域ごとの領域結合ＰＰＧ信号を得て、
前記評価ユニットが、前記領域結合ＰＰＧ信号を使用して、前記個別の皮膚領域の領域結合されたＰＰＧ信号のスペクトルにおける前記基本周波数及び／又は１つ若しくは複数の高調波の相対強度及び／又は絶対強度に基づき、前記皮膚領域に関する重みを決定する、請求項１に記載のデバイス。
【請求項５】
前記抽出ユニットが、前記皮膚領域に関して得られる前記放射線信号から抽出される前記異なる波長チャネルのＰＰＧ信号の加重平均として、特定の皮膚領域に関する領域結合されたＰＰＧ信号を取得する、請求項４に記載のデバイス。
【請求項６】
前記抽出ユニットが、正規化された血液量パルスベクトル署名ベースの方法、クロミナンスベースの方法、ブラインド音源分離法、主成分分析又は独立成分分析を使用して前記加重平均で使用する第２の重みを計算する、請求項５に記載のデバイス。
【請求項７】
前記結合ユニットが、個別の第１の重みに基づき前記異なる皮膚領域の前記ＰＰＧ信号を波長チャネルごとに結合し、波長チャネルごとに波長結合されたＰＰＧ信号を得て、
前記バイタルサイン決定ユニットは、前記波長結合されたＰＰＧ信号からバイタルサインを得る、請求項４に記載のデバイス。
【請求項８】
前記入力インタフェースが、皮膚領域ごとに、異なる波長チャネルで少なくとも２つの放射線信号を取得し、
前記抽出ユニットは、放射線信号ごとにＰＰＧ信号を抽出し、
前記結合ユニットが、個別の第１の重みに基づき前記異なる皮膚領域の前記ＰＰＧ信号を波長チャネルごとに結合し、波長チャネルごとに波長結合されたＰＰＧ信号を得て、
前記バイタルサイン決定ユニットは、前記波長結合されたＰＰＧ信号からバイタルサインを得る、請求項１に記載のデバイス。
【請求項９】
前記入力インタフェースが、画像フレームの時系列を含む画像データを取得し、前記画像データは、前記対象の異なる皮膚領域からの少なくとも２つの画像データ部分を含み、前記画像データ部分が、前記放射線信号を表す、請求項１に記載のデバイス。
【請求項１０】
対象のバイタルサインを決定するシステムであって、
少なくとも２つの放射線信号を得る検出器であって、各放射線信号が、照射に基づき個別の皮膚領域から反射されるか、又は皮膚領域を透過する放射線を検出することにより、前記対象の異なる皮膚領域から取得される、検出器と、
前記取得された放射線信号に基づき、請求項１に記載の対象のバイタルサインを決定するデバイスとを有する、システム。
【請求項１１】
前記検出器が、画像フレームの時系列を含む画像データを取得する撮像ユニットを有し、前記画像データは、前記対象の異なる皮膚領域からの少なくとも２つの画像データ部分を含み、前記画像データ部分が、前記放射線信号を表す、請求項１０に記載のシステム。
【請求項１２】
前記検出器が、個別の皮膚領域を照射し、前記照射に基づき、前記個別の皮膚領域から反射される、又は前記皮膚領域を透過する放射線を検出する少なくとも２つの接触センサを有する、請求項１０に記載のシステム。
【請求項１３】
コンピュータ又はプロセッサにより実行される、パルス及び／又は血液ガス成分に関連付けられる対象のバイタルサインを決定する方法において、
少なくとも２つの放射線信号を得るステップであって、各放射線信号が、照射に基づき個別の皮膚領域から反射されるか、又は皮膚領域を透過する放射線を検出することにより、前記対象の異なる皮膚領域から取得される、ステップと、
前記取得された放射線信号からフォトプレチスモグラフィＰＰＧ信号を抽出し、皮膚領域ごとに少なくとも１つのＰＰＧ信号を得るステップと、
前記個別の皮膚領域のＰＰＧ信号のスペクトルにおける基本周波数及び／又は１つ若しくは複数の高調波の相対強度及び／又は絶対強度に基づき、前記皮膚領域に関する第１の重みを決定するステップであって、前記第２の皮膚領域のＰＰＧ信号のスペクトルにおけるより弱い高調波を持つ第２の皮膚領域に関してより、前記第１の皮膚領域のＰＰＧ信号のスペクトルにおいてより強い高調波を持つ第１の皮膚領域に関して一層低い第１の重みが決定される、ステップと、
個別の第１の重みに基づき異なる皮膚領域の２つ以上のＰＰＧ信号を結合し、結合されたＰＰＧ信号を得るステップと、
前記結合されたＰＰＧ信号からバイタルサインを得るステップとを有する、方法。
【請求項１４】
コンピュータで実行されるときに請求項１３に記載の方法のステップを前記コンピュータに実行させるためのプログラムコード手段を有するコンピュータプログラム。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
ファントムで使用するための灌流チャンバであって、多孔質材料を含有する防水筐体を含み、
前記多孔質材料は、前記多孔質材料中の小孔と管状通路との間に流路を画定する、灌流チャンバ。
【請求項２】
前記管状通路は、前記多孔質材料中を入口側から出口側に向かって途中まで延びる管状通路の第１の集合を形成する、請求項１に記載の灌流チャンバ。
【請求項３】
前記多孔質材料中を前記出口側から前記入口側に向かって途中まで延びる管状通路の第２の集合であって、
前記管状通路の前記第１の集合からオフセットされている管状通路の第２の集合を含む、請求項２に記載の灌流チャンバ。
【請求項４】
前記筐体は、アクリル樹脂で形成される、請求項１〜３の何れか一項に記載の灌流チャンバ。
【請求項５】
円筒形であり、且つ灌流液が一方の端面から反対の端面へ前記多孔質材料を通って流れることができるように配置される、請求項１〜４の何れか一項に記載の灌流チャンバ。
【請求項６】
ラベリングチャンバを含み、灌流液は、前記多孔質材料に到達する前に前記ラベリングチャンバを通過する、請求項１〜５の何れか一項に記載の灌流チャンバ。
【請求項７】
前記ラベリングチャンバは、混入が行われた静水で実質的に満たされ、且つチューブを含み、前記チューブ内において、灌流液は、前記多孔質材料に向かって前記ラベリングチャンバを通過することができる、請求項６に記載の灌流チャンバ。
【請求項８】
前記多孔質材料は、焼結高密度ポリエチレン又は焼結ポリプロピレンである、請求項１〜７の何れか一項に記載の灌流チャンバ。
【請求項９】
ＭＲＩスキャナで使用するためのファントムであって、灌流液が流れることができる閉鎖系を含み、
前記閉鎖系は、前記系、灌流チャンバ及びリザーバを通して灌流液を移動させるためのポンプ機構を含む、ファントム。
【請求項１０】
請求項９に記載のファントムであって、
前記リザーバは、入口及び出口であって、それらの間を灌流液が流れることができる、入口及び出口を有する防水筐体を含み、
灌流液は、前記入口と前記出口との間において、前記入口と前記出口との間の距離より長い蛇行経路に沿って流れるように案内される、ファントム。
【請求項１１】
ＭＲＩスキャナで使用するためのファントムであって、灌流液が流れることができる系を含み、
前記系は、前記系を通して灌流液を移動させるためのポンプと、請求項１〜８の何れか一項に記載の灌流チャンバと、殺菌装置とを含み、
前記殺菌装置は、前記灌流液に照射するためのＵＶランプを含む、ファントム。
【請求項１２】
前記系は、閉鎖系である、請求項１１に記載のファントム。
【請求項１３】
前記灌流液を含み、前記灌流液は、蒸留水であって、その緩和時間を変更するために添加物、例えばＣｕＳＯ４等が混入されている、請求項９〜１２の何れか一項に記載のファントム。
【請求項１４】
ファントムの画像の有効性を確認するための装置であって、
画像化されるファントムに連結される１つ又は複数のセンサであって、前記ファントムの動作状態に関連付けられるパラメータを測定するように構成された１つ又は複数のセンサと、
制御／ロギングシステムであって、
画像化システムによる前記ファントムの画像化中にセンサデータを収集し、且つそれを入力としてコンピュータモデルに渡すことと、
前記画像データを、前記コンピュータモデルを用いて生成された参照画像データと比較することと、
前記比較に応じて合格スコア又は不合格スコアを返すことと
を行うように構成された制御／ロギングシステムと
を含む装置。
【請求項１５】
前記センサは、前記ファントム内の流体の温度、前記ファントム内の流体の圧力、及び前記ファントム内の流体の流量の１つ又は複数を検出及び測定するように構成される、請求項１４に記載の装置。
【請求項１６】
前記画像化システムの付近に設置されたトランシーバボックスを含み、センサデータは、無線接続を介して前記トランシーバボックスに送信され、且つ有線接続を用いて前記トランシーバボックスから前記制御／ロギングシステムに渡される、請求項１４又は１５に記載の装置。
【請求項１７】
前記無線接続は、Ｂｌｕｅｔｏｏｔｈ接続であり、及び前記有線接続は、１つ又は複数の光ファイバを含む、請求項１６に記載の装置。
【請求項１８】
前記制御／ロギングシステムは、そのタイムクロックを前記画像化システムのタイムクロックと同期させるように構成される、請求項１４〜１７の何れか一項に記載の装置。
【請求項１９】
前記同期は、前記画像化システムから同期信号を受信することを含む、請求項１８に記載の装置。
【請求項２０】
前記同期は、参照時刻ソースを提供するためにインターネットベースのタイムサーバを使用することを含む、請求項１８に記載の装置。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
患者において、膵臓脂肪含量を減少させるため、脂肪性膵臓の予防または治療のため、または脂肪性膵臓、糖尿病または他の関連障害によって引き起こされる膵臓疾患の改善のための組成物の製造のための、ポンシリン、イソビテキシン、エリオジクチオール、エルゴステロール、β-ミルセン、ヒペロシド、(+)-カテキン、パルミチン酸エチルエステル、ガランギン、モリン、シアドピチシン、ジジミン、ゴシピン、ルテオリン-7-グルコシド、(+)-タキシフォリン、トランス-ケイ皮酸、ジオスミン、リナリン、ホモオリエンティン、キシリトール、ルテオリン、スウェルチアマリン、ラウリル硫酸ナトリウム、メントール、スクラロース、マンニトール、クロスポビドン、ソルビトール、サッカリン、グリセリン、安息香酸ナトリウム、ベンガラ、アルファ化デンプン、シクラミン酸ナトリウム、ソルビン酸、レモン油、マルトデキストリン、クエン酸、およびブチル化ヒドロキシアニソール、およびその任意の誘導体、代謝産物および分解物、ならびにその任意の組み合わせからなる群から選択される化合物の使用。
【請求項２】
化合物が、メントール、マンニトール、エリオジクチオール、スクラロース、およびその任意の組み合わせからなる群から選択される、請求項１に記載の使用。
【請求項３】
化合物が、(1)メントール、マンニトールおよびエリオジクチオールの組み合わせ；(2)マンニトールとエリオジクチオールの組み合わせ；(3)マンニトールとスクラロースの組み合わせ；(4)エリオジクチオールとスクラロースの組み合わせ；(5)メントールとマンニトールの組み合わせ；または(6)エリオジクチオール、マンニトール、およびスクラロースの組み合わせからなる群から選択される組み合わせを含む、請求項１に記載の使用。
【請求項４】
関連障害が、アルコール性脂肪性膵臓および非アルコール性脂肪性膵臓を包含する、請求項１に記載の使用。
【請求項５】
組成物が、薬物、食品添加物または健康食品である、請求項１に記載の使用。
【請求項６】
ラウリル硫酸ナトリウム、メントール、スクラロース、マンニトール、クロスポビドン、ソルビトール、サッカリン、グリセリン、安息香酸ナトリウム、ベンガラ、アルファ化デンプン、シクラミン酸ナトリウム、ソルビン酸、レモン油、マルトデキストリン、クエン酸、ブチル化ヒドロキシアニソール、ポンシリン、イソビテキシン、エリオジクチオール、エルゴステロール、β-ミルセン、ヒペロシド、(+)-カテキン、パルミチン酸エチルエステル、ガランギン、モリン、シアドピチシン、ジジミン、ゴシピン、ルテオリン-7-グルコシド、(+)-タキシフォリン、トランス-ケイ皮酸、ジオスミン、リナリン、ホモオリエンティン、キシリトール、ルテオリン、およびスウェルチアマリン、および任意のその誘導体、代謝産物および分解物からなる群から選択される任意の2つ以上の化合物の組み合わせを含む組成物。
【請求項７】
メントール、マンニトール、エリオジクチオールおよびスクラロースからなる群から選択される任意の2つ以上の化合物の組み合わせを含む、請求項６に記載の組成物。
【請求項８】
(1)メントール、マンニトールおよびエリオジクチオールの組み合わせ；(2)マンニトールとエリオジクチオールの組み合わせ；(3)マンニトールとスクラロースの組み合わせ；(4)エリオジクチオールとスクラロースの組み合わせ；(5)メントールとマンニトールの組み合わせ；または(6)エリオジクチオール、マンニトールおよびスクラロースの組み合わせからなる群から選択される組み合わせを含む、請求項６に記載の組成物。
【請求項９】
患者において、膵臓脂肪含量の減少、脂肪性膵臓の予防または治療、または脂肪性膵臓、糖尿病または他の関連障害によって引き起こされる膵臓疾患の改善に使用するための、請求項６に記載の組成物。
【請求項１０】
関連障害が、アルコール性脂肪性膵臓および非アルコール性脂肪性膵臓を包含する、請求項９に記載の組成物。
【請求項１１】
組成物が、薬物、食品添加物または健康食品である、請求項６に記載の組成物。
【請求項１２】
ポンシリン、イソビテキシン、エリオジクチオール、エルゴステロール、β-ミルセン、ヒペロシド、(+)-カテキン、パルミチン酸エチルエステル、ガランギン、モリン、シアドピチシン、ジジミン、ゴシピン、ルテオリン-7-グルコシド、(+)-タキシフォリン、トランス-ケイ皮酸、ジオスミン、リナリン、ホモオリエンティン、キシリトール、ルテオリン、スウェルチアマリン、ラウリル硫酸ナトリウム、メントール、スクラロース、マンニトール、クロスポビドン、ソルビトール、サッカリン、グリセリン、安息香酸ナトリウム、ベンガラ、アルファ化デンプン、シクラミン酸ナトリウム、ソルビン酸、レモン油、マルトデキストリン、クエン酸、およびブチル化ヒドロキシアニソール、およびその任意の誘導体、代謝産物および分解物、ならびにその任意の組み合わせからなる群から選択される有効量の化合物を含む、膵臓脂肪含量を減少させるため、脂肪性膵臓の予防または治療するため、または脂肪性膵臓、糖尿病または他の関連障害によって引き起こされる膵臓疾患を改善するための医薬組成物。
【請求項１３】
化合物が、メントール、マンニトール、エリオジクチオール、スクラロース、およびその任意の組み合わせからなる群から選択される、請求項１２に記載の医薬組成物。
【請求項１４】
化合物が、(1)メントール、マンニトールおよびエリオジクチオールの組み合わせ；(2)マンニトールとエリオジクチオールの組み合わせ；(3)マンニトールとスクラロースの組み合わせ；(4)エリオジクチオールとスクラロースの組み合わせ；(5)メントールとマンニトールの組み合わせ；または(6)エリオジクチオール、マンニトール、およびスクラロースの組み合わせからなる群から選択される組み合わせを含む、請求項１２に記載の医薬組成物。
【請求項１５】
関連障害が、アルコール性脂肪性膵臓および非アルコール性脂肪性膵臓を包含する、請求項１２に記載の医薬組成物。